(57)【要約】【課題】ファイルの留め具に綴じることができる封筒において、封筒の収納空間の大きさが小さくなることがなく、かつ、封筒としての見栄えを損なうことがないものを提供する。【解決手段】封筒５は、略長方形状の袋状を呈し、長手辺に開口部Ｔを有する収納部１０と、開口部Ｔの辺部である折れ線Ｓから連設されたフラップ片２０とを有し、フラップ片２０には、該辺部と略平行にフラップ片２０の一方の端部から他方の端部にまで形成されたミシン状の切目線Ｋと、該折れ線Ｓと切目線Ｋの間の領域に切目線Ｋの方向に間隔を介して綴じ穴３２が形成されている。【選択図】図１
0003168890.tif 000002
【実用新案登録請求の範囲】
【請求項１】
封筒であって、
封筒が１枚のシート状部材により形成され、
長方形状の外形を有し扁平な袋状を呈し、長手辺に開口部を有する収納部と、
収納部の開口部の辺部から連設されたフラップ片で、該辺部と略平行にフラップ片の一方の端部から他方の端部にまで形成されたミシン状の切目線と、該辺部と切目線の間の領域に切目線の方向に間隔を介して綴じ穴が形成されたフラップ片と、
を有することを特徴とする封筒。
【請求項２】
フラップ片における切目線よりも収納部側とは反対側の領域である先端側の領域に、水溶性の接着剤により形成された接着剤層が設けられていることを特徴とする請求項１に記載の封筒。
【請求項３】
収納部が、長方形状の表面部と、表面部の一方の長手辺から折れ線を介して連設され表面部と平行に形成された略長方形状の裏面部と、表面部と裏面部の一方の一対の短手辺から折れ線を介して連設され表面部と裏面部の他方に接着された糊代部とを有し、フラップ片は、表面部の他方の長手辺から連設されていることを特徴とする請求項１又は２に記載の封筒。
【請求項４】
封筒が角２サイズであり、３０穴用ファイルに綴じることが可能に、綴じ穴が３０個形成されていることを特徴とする請求項１又は２又は３に記載の封筒。
【請求項５】
封筒が角０サイズであり、３６穴用ファイルに綴じることが可能に、綴じ穴が３６個形成されていることを特徴とする請求項１又は２又は３に記載の封筒。
【請求項６】
封筒が角３サイズであり、２７穴用ファイルに綴じることが可能に、綴じ穴が２７個形成されていることを特徴とする請求項１又は２又は３に記載の封筒。
【請求項７】
綴じ穴において、４穴ファイル用の綴じ穴に対応する位置の綴じ穴は、他の綴じ穴よりも大きく形成されていることを特徴とする請求項４又は５又は６に記載の封筒。
【考案の詳細な説明】
【技術分野】
【０００１】
本考案は、封筒に関するものである。
【背景技術】
【０００２】
従来における封筒で、ファイルの留め具に綴じることができる封筒として、特許文献１に示す綴込片付ファイル封筒のように、封筒の側面にパンチ穴を穿設した綴込片を設けたものが存在する。
【先行技術文献】
【特許文献】
【０００３】
【特許文献１】実開平３−３８７３９号公報
【考案の概要】
【考案が解決しようとする課題】
【０００４】
しかし、特許文献１に記載の封筒においては、蓋が形成された辺部と隣接する辺部から綴込片が設けられているので、封筒の外形の大きさに対して綴込片の大きさの分だけ収納空間が小さくなってしまうという問題がある。また、通常の封筒に対して、綴込片が側方に突出して形成されているので、封筒として見栄えが悪いという問題がある。
【０００５】
そこで、本考案は、ファイルの留め具に綴じることができる封筒において、封筒の収納空間の大きさが小さくなることがなく、かつ、封筒としての見栄えを損なうことがないものを提供することを目的とする。
【課題を解決するための手段】
【０００６】
本考案は上記問題点を解決するために創作されたものであって、第１には、封筒であって、封筒が１枚のシート状部材により形成され、長方形状の外形を有し扁平な袋状を呈し、長手辺に開口部を有する収納部と、収納部の開口部の辺部から連設されたフラップ片で、該辺部と略平行にフラップ片の一方の端部から他方の端部にまで形成されたミシン状の切目線と、該辺部と切目線の間の領域に切目線の方向に間隔を介して綴じ穴が形成されたフラップ片と、を有することを特徴とする。
【０００７】
第１の構成においては、封筒に被収納物を収納する際には、フラップ片を収納部に対して折り曲げ、フラップ片の切目線よりも先端側の領域を糊代領域として収納部に接着する。被収納物を取り出す際には、糊代領域を切目線を破断して分離する。封筒をファイルに綴じるには、ファイルの留め具を綴じ穴に挿通してファイルに綴じる。
【０００８】
よって、フラップ片に綴じ穴が形成されているので、封筒の収納空間の大きさが小さくなることがない。また、切目線と綴じ穴が形成されている点以外は、通常の封筒と同様の構成なので、封筒としての見栄えを損なうことがない。
【０００９】
また、第２には、上記第１の構成において、フラップ片における切目線よりも収納部側とは反対側の領域である先端側の領域に、水溶性の接着剤により形成された接着剤層が設けられていることを特徴とする。
【００１０】
よって、該先端側の領域を容易に接着可能な状態とすることができ、該先端側の領域に接着剤を塗布する場合に比べて、誤って綴じ穴を形成した領域（切目線よりも基端側の領域）に接着剤を塗布してしまうおそれがない。
【００１１】
また、第３には、上記第１又は第２の構成において、収納部が、長方形状の表面部と、表面部の一方の長手辺から折れ線を介して連設され表面部と平行に形成された略長方形状の裏面部と、表面部と裏面部の一方の一対の短手辺から折れ線を介して連設され表面部と裏面部の他方に接着された糊代部とを有し、フラップ片は、表面部の他方の長手辺から連設されていることを特徴とする。
【００１２】
また、第４には、上記第１又は第２又は第３の構成において、封筒が角２サイズであり、３０穴用ファイルに綴じることが可能に、綴じ穴が３０個形成されていることを特徴とする。
【００１３】
また、第５には、上記第１又は第２又は第３の構成において、封筒が角０サイズであり、３６穴用ファイルに綴じることが可能に、綴じ穴が３６個形成されていることを特徴とする。
【００１４】
また、第６には、上記第１又は第２又は第３の構成において、封筒が角３サイズであり、２７穴用ファイルに綴じることが可能に、綴じ穴が２７個形成されていることを特徴とする。
【００１５】
また、第７には、綴じ穴において、４穴ファイル用の綴じ穴に対応する位置の綴じ穴は、他の綴じ穴よりも大きく形成されていることを特徴とする。よって、２穴ファイルや４穴ファイルに綴じやすくすることができる。
【考案の効果】
【００１６】
本考案に基づく封筒によれば、フラップ片に綴じ穴が形成されているので、封筒の収納空間の大きさが小さくなることがない。また、切目線と綴じ穴が形成されている点以外は、通常の封筒と同様の構成なので、封筒としての見栄えを損なうことがない。
【図面の簡単な説明】
【００１７】
【図１】封筒の斜視図である。
【図２】封筒の正面図である。
【図３】封筒の背面図である。
【図４】封筒の要部拡大右側面図である。
【図５】封筒の展開図である。
【図６】封筒の使用状態を示す説明図である。
【図７】封筒の使用状態を示す説明図である。
【図８】封筒の使用状態を示す説明図である。
【図９】封筒の使用状態を示す説明図である。
【図１０】封筒の使用状態を示す説明図である。
【図１１】封筒の使用状態を示す説明図である。
【考案を実施するための形態】
【００１８】
本考案においては、ファイルの留め具に綴じることができる封筒において、封筒の収納空間の大きさが小さくなることがなく、かつ、封筒としての見栄えを損なうことがないものを提供するという目的を以下のようにして実現した。
【００１９】
本考案の封筒５は、図１〜図５に示すように形成され、袋状の収納部１０と、収納部１０の開口端から連設されたフラップ片２０とを有している。封筒５は、１枚のシート状部材（例えば、紙材）により形成されている。封筒５は、角２サイズの大きさとなっている。
【００２０】
ここで、収納部１０は、長方形状（略長方形状としてもよい）の外形を有し扁平な袋状を呈し、長手辺に沿って開口部Ｔが形成され、表面部１２と、表面部１２の下辺から折れ線を介して連設された裏面部１４と、表面部１２の両側の辺部から折れ線を介して連設された糊代部１６、１８とを有している。
【００２１】
表面部１２は、長方形状のシート状を呈し、裏面部１４は、表面部１２の長手辺から折れ線を介して連設され、略長方形状を呈している。つまり、裏面部１４は、表面部１２の長手辺と同一幅の長手辺と表面部１２の短手辺と同一幅の短手辺を有する長方形状における表面部１２と連設する辺部と反対側の辺部において、略三角形状の切欠部１４ａが形成されている。
【００２２】
また、糊代部１６は、表面部１２側を正面側とした場合に、表面部１２の右側面側の短手辺から折れ線を介して連設され、台形形状を呈している。また、糊代部１８は、表面部１２側を正面側とした場合に、表面部１２の左側面側の短手辺から折れ線を介して連設され、台形形状を呈している。糊代部１６と糊代部１８は、裏面部１４の外側の面に接着されている。
【００２３】
なお、封筒５は、角２サイズであるので、収納部１０の大きさ（表面部１２の大きさとしてもよい）は、２４０ｍｍ×３３２ｍｍとなっている。
【００２４】
また、フラップ片２０は、開口部Ｔの辺部、つまり、表面部１２の上辺（つまり、裏面部１４が連設された長手辺部とは反対側の長手辺部）から折れ線Ｓを介して連設され、全体には、収納部１０の長手辺の方向の幅が先端にいくほど短くなる台形形状（等脚台形形状）を呈している。なお、開口部Ｔの辺部（表面部１２の上辺）と折れ線Ｓとは一致する。なお、折れ線Ｓには、予め罫線を形成しておくのが好ましい。
【００２５】
このフラップ片２０には、折れ線Ｓと平行（略平行としてもよい）にミシン目状の切目線Ｋがフラップ片２０の一方の端部から他方の端部にまで形成されている。フラップ片２０における折れ線Ｓと切目線Ｋ間の領域が綴じ穴形成領域３０となり、切目線Ｋよりも先端側の領域が糊代領域４０となる。この糊代領域４０の背面側の面には、水溶性接着剤（例えば、水溶性糊）により構成された接着剤層４２が設けられている。
【００２６】
なお、糊代領域４０に予めシート状の接着剤層と接着剤層を被覆する剥離紙とを設けておき、剥離紙を剥がして接着剤層を露出させて、該接着剤層を収納部１０に接着するようにしてもよい。
【００２７】
綴じ穴形成領域３０には、折れ線Ｓや切目線Ｋと平行な方向に間隔を介して（具体的には、等間隔に）複数の綴じ穴３２が形成されている。綴じ穴３２は、円形を呈していて、図の例では、計３０個の綴じ穴３２が形成されている。つまり、３０穴ファイルに綴じることができるように、３０個の綴じ穴が形成されている。なお、綴じ穴３２においては、２穴及び４穴のファイルに綴じやすいように、４穴ファイル用の綴じ穴に対応する位置の綴じ穴３２は、他の綴じ穴３２よりも大きく形成されている。
【００２８】
なお、角２サイズの封筒であるので、綴じ穴は３０個形成されているが、角０サイズの場合には、３６個の綴じ穴とし、角３サイズの場合には、２７個の綴じ穴とする。つまり、角０サイズの場合には、収納部１０の大きさ（表面部１２の大きさとしてもよい）は、２８７ｍｍ×３８２ｍｍとなり、３６穴用ファイルに綴じることができるように、綴じ穴形成領域３０には、３６個の綴じ穴が形成される。また、角３サイズの場合には、収納部１０の大きさ（表面部１２の大きさとしてもよい）は、２１６ｍｍ×２７７ｍｍとなり、２７穴用ファイルに綴じることができるように、綴じ穴形成領域３０には、２７個の綴じ穴が形成される。上記角０サイズや角３サイズの場合にも、２穴及び４穴のファイルに綴じやすいように、４穴ファイル用の綴じ穴に対応する位置の綴じ穴（つまり、４つの綴じ穴）は、他の綴じ穴よりも大きく形成される。
【００２９】
上記構成の封筒５の使用状態について説明する。封筒５には開口部Ｔから被収納物（例えば、書類）を入れて、糊代領域４０の接着剤層４２に水を塗布して接着剤層４２を接着可能な状態とする。封筒５には、予め接着剤層４２が設けられ、水を塗布するのみでよいので、糊代領域４０を容易に接着可能な状態とすることができ、糊代領域４０に接着剤を塗布する場合に比べて、誤って綴じ穴形成領域３０に接着剤を塗布しておそれがない。
【００３０】
その後、図６に示すように、フラップ片２０を収納部１０に対して折り曲げて、糊代領域４０を収納部１０の裏面部１４の外側の面に接着する。
【００３１】
収納部１０に収納された被収納物を取り出すには、図７に示すように、糊代領域４０を切目線Ｋを破断しながら剥がしていき、図８に示すように、糊代領域４０を綴じ穴形成領域３０から分離する。そして、図９、図１０に示すように、綴じ穴形成領域３０を収納部１０に対して立ち上げた状態として（つまり、表面部１２と面一にする）開口部Ｔを露出することにより、収納された被収納物を取り出すことができる。
【００３２】
糊代領域４０を分離した状態の封筒５を、図１１に示すように、ファイル１００に綴じる。ファイル１００は、３０穴用ファイル（３０穴用のファイル）であり、紙材又は合成樹脂により形成されたファイル本体１０２と、ファイル本体１０２の中間部１０２ｂに設けられた綴じ部材１１０とを有している。ファイル本体１０２は、シート状（プレート状としてもよい）の表側部材１０２ａと、表側部材１０２ａから折れ線を介して連設された帯状のシート状（プレート状としてもよい）の中間部材１０２ｂと、中間部材１０２ｂの表側部材１０２ａ側とは反対側の辺部から折れ線を介して連設され表側部材１０２ａと同大同形状の裏側部材１０２ｃとを有している。また、綴じ部材１１０は、中間部材１０２ｂに固着され、留め具１１４を開閉可能に支持するベース部１１２と、ベース部１１２に開閉可能に支持され、綴じた状態では、略リング状を呈する留め具１１４とを有している。綴じ部材１１０には、３０個の留め具１１４が設けられている。すなわち、ファイル１００に綴じるには、綴じ穴形成領域３０に形成された綴じ穴３２に留め具１１４を挿通して、ファイル１００に綴じる。このファイル１００は、綴じた状態の封筒がはみ出さないように、通常の３０穴用ファイルよりも大きく形成されていて、特に、ファイル本体１０２が通常の３０穴用ファイルのファイル本体１０２よりも大きく形成されている。
【００３３】
なお、３６個の綴じ穴を有する角０サイズの封筒の場合には、３６穴用ファイルに綴じ、２７個の綴じ穴の綴じ穴を有する角３サイズの封筒の場合には、２７穴用ファイルに綴じる。この場合も、綴じた状態の封筒がはみ出さないように、通常の３６穴用ファイルや２７穴用ファイルよりも大きく形成する。
【００３４】
本実施例の封筒５によれば、フラップ片２０に綴じ穴３２が形成されているので、封筒の収納空間の大きさが小さくなることがない。また、切目線Ｋと綴じ穴３２が形成されている点以外は、通常の封筒と同様の構成なので、封筒としての見栄えを損なうことがない。
【００３５】
また、フラップ片２０は、収納部１０の長手辺から連設されていて、開口部Ｔが広く形成されているので、被収納物の収納及び取出しが容易である。
【００３６】
なお、上記の構成において、糊代部１６、１８は、裏面部１４の外側の面に接着されているとして説明したが、裏面部１４の内側の面に接着してもよい。また、糊代部１６、１８は、裏面部１４の短手辺から連設して、表面部１２に接着した構成としてもよい。なお、その場合には、表面部１２の見栄えが悪くならないように、一対の糊代部を表面部１２の内側の面に接着するのが好ましい。
【符号の説明】
【００３７】
５  封筒
１０  収納部
１２  表面部
１４  裏面部
１６、１８  糊代部
２０  フラップ片
３０  綴じ穴形成領域
３２  綴じ穴
４０  糊代領域
４２  接着剤層
１００  ファイル
１０２  ファイル本体
１１０  綴じ部材
１１４  留め具
【図１】
0003168890.tif 000003
【図２】
0003168890.tif 000004
【図３】
0003168890.tif 000005
【図４】
0003168890.tif 000006
【図５】
0003168890.tif 000007
【図６】
0003168890.tif 000008
【図７】
0003168890.tif 000009
【図８】
0003168890.tif 000010
【図９】
0003168890.tif 000011
【図１０】
0003168890.tif 000012
【図１１】
0003168890.tif 000013